(57)【要約】【課題】溶解速度の遅い添加成分を用いた場合であっても、溶解度を高めることのできる水処理用添加剤および水処理装置を得る。【解決手段】水処理用の添加成分２と、添加成分２よりも溶解速度が早い可溶性のバインダー３と、を配合して一体に成形することで添加剤１を形成し、大理石や麦飯石などの天然石や炭酸カルシウム製剤などの溶解速度の遅い添加成分２を使用した場合であっても、添加成分２の溶解度を高めることができるようにした。【選択図】図１
2010274152.tif 000002
【特許請求の範囲】
【請求項１】
水処理用の添加成分と、当該添加成分よりも溶解速度が早い可溶性のバインダーと、を配合して一体に成形したことを特徴とする水処理用添加剤。
【請求項２】
前記添加成分は、連泡性の多孔質に形成されるとともに、当該添加成分の多孔質部分に前記バインダーを含浸させたことを特徴とする請求項１に記載の水処理用添加剤。
【請求項３】
前記バインダーは、加熱により溶解する熱溶解性であることを特徴とする請求項１または請求項２に記載の水処理用添加剤。
【請求項４】
通水路に連通する添加口を有し、請求項１または請求項２に記載の水処理用添加剤を収納して、当該水処理用添加剤の添加成分を前記添加口から前記通水路に供給する添加室を備えたことを特徴とする水処理装置。
【請求項５】
通水路に連通する添加口を有し、請求項３に記載の水処理用添加剤を収納して、当該水処理用添加剤の添加成分を前記添加口から前記通水路に供給する添加室と、当該添加室に設けられ前記水処理用添加剤を加熱する加熱部と、を備えたことを特徴とする水処理装置。
【発明の詳細な説明】
【技術分野】
【０００１】
本発明は、水処理用添加剤およびその添加剤を用いた水処理装置に関する。
【背景技術】
【０００２】
従来、水処理用添加剤として、溶解速度の早い添加成分（ミネラル含有化合物）を主成分とし、溶解速度の遅いバインダーを副成分とした添加剤が知られている（例えば、特許文献１参照）。
【先行技術文献】
【特許文献】
【０００３】
【特許文献１】特開平９−１２２６５８号公報
【発明の概要】
【発明が解決しようとする課題】
【０００４】
しかしながら、かかる従来の水処理用添加剤では、溶解速度が遅い添加成分、たとえば、大理石や麦飯石などの天然石や炭酸カルシウムを用いた場合には、十分な効果が得られず、添加成分の溶解度を高めることができなくなってしまう。
【０００５】
そこで、本発明は、溶解速度の遅い添加成分を用いた場合であっても、溶解度を高めることのできる水処理用添加剤および水処理装置を得ることを目的とする。
【課題を解決するための手段】
【０００６】
請求項１の発明にあっては、水処理用の添加成分と、当該添加成分よりも溶解速度が早い可溶性のバインダーと、を配合して一体に成形したことを特徴とする。
【０００７】
請求項２の発明にあっては、請求項１に記載の水処理用添加剤において、前記添加成分は、連泡性の多孔質に形成されるとともに、当該添加成分の多孔質部分に前記バインダーを含浸させたことを特徴とする。
【０００８】
請求項３の発明にあっては、請求項１または請求項２に記載の水処理用添加剤において、前記バインダーは、加熱により溶解する熱溶解性であることを特徴とする。
【０００９】
請求項４の発明にあっては、通水路に連通する添加口を有し、請求項１または請求項２に記載の水処理用添加剤を収納して、当該水処理用添加剤の添加成分を前記添加口から前記通水路に供給する添加室を備えたことを特徴とする水処理装置である。
【００１０】
請求項５の発明にあっては、通水路に連通する添加口を有し、請求項３に記載の水処理用添加剤を収納して、当該水処理用添加剤の添加成分を前記添加口から前記通水路に供給する添加室と、当該添加室に設けられ前記水処理用添加剤を加熱する加熱部と、を備えたことを特徴とする水処理装置である。
【発明の効果】
【００１１】
請求項１の発明によれば、溶解速度が早いバインダーがいち早く溶解されることにより水処理用添加剤に空隙が形成されるため、水処理用添加剤は全体的に水との接触面積が増加する。これにより、水処理用添加剤の添加成分が溶解速度の遅い剤であっても、水との接触面積が増加することにより添加成分の溶解度を高めることができる。
【００１２】
請求項２の発明によれば、添加成分を連泡性の多孔質に形成したため、多孔質部分に含浸されたバインダーが先行して溶解された際に、水との接触面積をさらに増加して添加成分の溶解度をさらに高めることができる。また、添加成分の連泡性となった多孔質にバインダーが含浸されることにより、水処理用添加剤の製造過程や流通過程において、水処理用添加剤の脆さをバインダーが補って、水処理用添加剤の取り扱い性や可搬性を向上することができる。
【００１３】
請求項３の発明によれば、バインダーが熱溶解性であるため、加熱したときにバインダーが溶けて水処理用添加剤に空隙が形成されて添加成分の溶解をさらに促進させることができる。これにより、バインダーを加熱する温度やタイミングによって、添加成分を水に溶解させる速度やタイミングを制御できるようになる。
【００１４】
請求項４の発明によれば、添加室に水処理用添加剤を投入することにより、添加室内で溶解した添加成分は添加口から通水路に供給されて、通水路内の添加口よりも下流側の水を簡単に活水化することができる。したがって、通水路に添加室を設けるという簡単な構成でありながら、請求項１または請求項２に記載の水処理用添加剤の効果を享有できる水処理装置を得ることができる。
【００１５】
請求項５の発明によれば、添加室に投入した水処理用添加剤を加熱部で加熱することにより、請求項３に記載した熱溶解性のバインダーが溶けて添加成分が溶解し、添加成分が添加口から通水路に供給されて、通水路内の添加口よりも下流側の水を簡単に活水化することができる。また、加熱部によりバインダーの溶解速度や溶解タイミングを制御でき、ひいては、添加成分が水に溶解する速度やタイミングを調節することができる。したがって、通水路に添加室および加熱部を設けるという簡単な構成でありながら、請求項３に記載の水処理用添加剤の効果を享有できる水処理装置を得ることができる。
【図面の簡単な説明】
【００１６】
【図１】図１は、本発明の第１実施形態にかかる水処理用添加剤の模式図である。
【図２】図２は、図１に示す水処理用添加剤を用いた水処理装置を模式的に示す断面図である。
【図３】図３は、本発明の第２実施形態にかかる水処理用添加剤の模式図である。
【図４】図４は、図３に示す水処理用添加剤を用いた水処理装置を模式的に示す断面図である。
【発明を実施するための形態】
【００１７】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００１８】
（第１実施形態）図１および図２は、本発明にかかる水処理用添加剤（以下、単に添加剤と称する）１および水処理装置１０の第１実施形態を示している。
【００１９】
図１に示すように、本実施形態にかかる添加剤１は、水処理用の添加成分２と、添加成分２よりも溶解速度が早い可溶性のバインダー３と、を配合して一体に成形されている。なお、図１および図２では、便宜上、添加成分２の粒子は黒い菱形部分で示し、バインダー３は白抜きの菱形部分で示している。
【００２０】
本実施形態では、添加成分２としては、大理石や麦飯石などの天然石や炭酸カルシウム製剤などの溶解速度の遅い成分が使用される一方、可溶性のバインダー３としては、ＰＶＰ（ポリビニルピロリドン）などの添加成分２よりも溶解速度が早い有機化合物が使用される。そして、添加成分２の粒子間にバインダー３の薄膜を介在させて固形化することにより添加剤１が形成される。
【００２１】
この添加剤１を形成するにあたっては、添加成分２を連泡性の多孔質に形成するとともに、その多孔質の添加成分２にバインダー３を含浸させることが好ましい。なお、連泡性の多孔質とは、添加成分２の粒子間に形成される多数の孔が、隣接されるものどうしで互いに連通した状態を意味する。
【００２２】
ここで、本実施形態にかかる水処理装置１０は、図２に示すように、通水路１１に連通する添加口１２を有し、上述の添加剤１を収納して添加成分２を添加口１２から通水路１１に供給する添加室１３を備えている。
【００２３】
通水路１１は、一般の水道管や水道管に蛇口を介して接続される水導入管であり、通水路１１の側方に添加室１３が設置され、添加室１３の底部１３ａと通水路１１とが添加口１２によって連通されている。
【００２４】
添加室１３は、上端が開放した有底筒状に形成されているとともに、上端開放口１３ｂは蓋１３ｃによって開閉可能に閉止されており、蓋１３ｃを取り外すことにより、上端開放口１３ｂから添加剤１を添加室１３内に投入できるようになっている。もちろん、添加室１３内には、少なくとも投入した添加剤１を完全に浸漬できる程度の深さまで通水路１１内の水が添加口１２から導入される。
【００２５】
以上の本実施形態によれば、添加成分２と、添加成分２よりも溶解速度が早い可溶性のバインダー３と、を配合することで添加剤１を形成したため、溶解速度が早いバインダー３がいち早く溶解されることにより添加剤１に空隙が形成される。これにより、添加剤１は全体的に水との接触面積が増加するため、添加剤１の添加成分が天然石や炭酸カルシウム製剤などのように溶解速度の遅い剤であっても、水との接触面積が増加することにより添加成分２の溶解度を高めることができる。
【００２６】
また、添加成分２を連泡性の多孔質に形成した場合には、バインダー３が先行して溶解された際に、水との接触面積がさらに増加し、添加成分２の溶解度をさらに高めることができる。さらに、添加成分２の連泡性となった多孔質にバインダー３が含浸されることにより、添加剤１の製造過程や流通過程において、添加剤１の脆さをバインダー３が補って、添加剤１の取り扱い性や可搬性を向上することができる。
【００２７】
また、本実施形態にかかる水処理装置１０によれば、添加室１３に添加剤１を投入することにより、添加室１３内で溶解した添加成分２が添加口１２から通水路１１に供給されるため、通水路１１内の添加口１２よりも下流側の水を簡単に活水化することができる。したがって、通水路１１に添加室１３を設けるという簡単な構成でありながら、上述した添加剤１の効果、すなわち、溶解速度の遅い添加成分２であっても溶解度を高めることができるという効果を享有できる。
【００２８】
（第２実施形態）図３および図４は本発明の第２実施形態を示している。
【００２９】
図３に示すように、本実施形態にかかる添加剤１Ａは、基本的に上記第１実施形態の添加剤１と同様であり、添加成分２と、添加成分２よりも溶解速度が早い可溶性のバインダー３Ｍと、を配合して一体に成形することで形成されている。
【００３０】
本実施形態にかかる添加剤１Ａが上記第１実施形態と主に異なる点は、バインダー３Ｍを加熱することにより溶解する熱溶解性としたことにある。なお、図３および図４にあっても、便宜上、添加成分２の粒子は黒い菱形部分で示し、バインダー３Ｍは白抜きの菱形部分で示している。また、添加成分２としては、上記第１実施形態と同様に溶解速度が遅い成分が用いられる。
【００３１】
ところで、添加成分２と熱溶解性のバインダー３Ｍとによって添加剤１Ａを形成する場合に、上記第１実施形態と同様に、添加成分２とバインダー３Ｍとを単に配合して一体に成形することもでき、添加成分２を連泡性の多孔質に形成して多孔質部分にバインダー３Ｍを含浸させるようにすることもできる。
【００３２】
そして、上述の熱溶解性のバインダー３Ｍを使用した添加剤１Ａは、図４に示す水処理装置１０Ａに用いられる。この水処理装置１０Ａは、基本的に上記第１実施形態の水処理装置１０と同様であり、添加口１２を介して通水路１１に連通する添加室１３を備えて構成されているが、特に、本実施形態の水処理装置１０Ａが上記第１実施形態と主に異なる点は、添加室１３に、添加剤１Ａを加熱する加熱部１４を設けたことにある。
【００３３】
加熱部１４は、たとえば電気ヒータなどで構成されており、電気ヒータで構成した加熱部１４には、加熱制御部１５からハーネス１５ａを介して電力が供給される。加熱制御部１５は、加熱部１４に供給する電流値や電力供給時間を制御するものであり、予め、加熱部１４を加熱する温度や加熱タイミングを設定しておくのが望ましい。
【００３４】
以上の本実施形態によれば、添加成分２に配合するバインダー３Ｍを溶解性としたため、バインダー３Ｍを加熱したときにバインダー３Ｍが溶けて添加剤１Ａに空隙が形成されることにより、添加成分２の溶解をさらに促進させることができる。そのため、バインダー３Ｍを加熱する温度やタイミングを適宜設定することで、添加成分２を水に溶解させる速度やタイミングを制御できるようになる。
【００３５】
また、本実施形態にかかる水処理装置１０Ａによれば、添加室１３に投入した添加剤１Ａを加熱部１４で加熱することにより、熱溶解性のバインダー３Ｍが溶けて添加成分２が溶解して添加成分２が添加口１２から通水路１１に供給されるため、通水路１１内の添加口１２よりも下流側の水を簡単に活水化することができる。また、加熱部１４によりバインダー３Ｍの溶解速度や溶解タイミングを制御することができ、ひいては、添加成分２が水に溶解する速度やタイミングを調節することができるようになる。
【００３６】
以上、本発明の好適な実施形態について説明したが、本発明は上記実施形態には限定されず、種々の変形が可能である。
【００３７】
たとえば、上記実施形態では、添加成分を通水路に供給する添加口を添加室内に水を流入させる通路としても兼用する水処理装置を例示したが、添加室内に水を流入させる通路を添加口とは別に設ける等、様々な水処理装置を用いることができる。
【符号の説明】
【００３８】
１、１Ａ  添加剤（水処理用添加剤）
２  添加成分
３  バインダー
３Ｍ  熱溶解性のバインダー
１０、１０Ａ  水処理装置
１１  通水路
１２  添加口
１３  添加室
１４  加熱部
【図１】
2010274152.tif 000003
【図２】
2010274152.tif 000004
【図３】
2010274152.tif 000005
【図４】
2010274152.tif 000006